(57)【特許請求の範囲】
【請求項１】
操作者の操作に基づき、所定の通信装置を示す保守センターとの保守関連の通信を示すサービスモード通信を行う指示を出力し、ファクシミリ通信を行う指示を出力する操作部と、
収容している電話回線の直流電圧を測定して測定結果を出力し、前記所定の通信装置との間で前記電話回線を接続して通信を行い、通信相手装置との間で前記電話回線を接続して通信を行い、前記指示に基づき、前記保守センターとの間で前記電話回線を接続して通信を行い、前記指示に基づき、前記通信相手装置との間で前記電話回線を接続して通信を行う網制御部と、
前記操作部から前記サービスモード通信指示を受けた場合、前記保守センターとの間で前記電話回線を接続する指示を前記網制御部に出力し、前記網制御部を介して前記サービスモード通信が成立したときに測定した前記測定結果を前記網制御部から受けて回線接続電圧情報として格納し、前記操作部から前記ファクシミリ通信指示を受けた場合、前記通信相手装置との間で前記電話回線を接続する指示を前記網制御部に出力し、前記網制御部を介して前記ファクシミリ通信を行う前後の回線閉結時ならびに回線開放時に前記網制御部が測定した電話回線の直流電圧と前記回線接続電圧情報との照合を行い、回線交換動作における回線の閉結もしくは開放状態を判定する主制御部と、
を備えたことを特徴とする通信装置。
【請求項２】
前記主制御部は、前記測定結果が前記回線接続電圧情報と略同じであった場合に、前記電話回線が使用されていると判定し、前記測定結果が前記回線接続電圧情報と略同じでなかった場合に、前記電話回線が未使用であると判定することを特徴とする請求項１記載の通信装置。
【請求項３】
前記主制御部は、前記電話回線を接続する指示を前記網制御部に出力した後に、前記網制御部が測定した前記測定結果を前記網制御部から受け、この受けた測定結果と前記回線接続電圧情報とが、略同じであった場合に、前記網制御部を介して前記ファクシミリ通信を行う、ことを特徴とする請求項２記載の通信装置。
【請求項４】
前記主制御部は、前記ファクシミリ通信を終了した後に前記電話回線を開放する指示を前記網制御部に出力し、前記網制御部から受けた前記電話回線の前記直流電圧と前記回線接続電圧情報とが略同じでなかった場合に、前記電話回線の開放が行われたと判断する、
ことを特徴とする請求項１、２又は３記載の通信装置。
【請求項５】
前記網制御部が収容する前記電話回線は、自身の通信装置以外に電話装置を含む他の通信装置も使用する、ことを特徴とする請求項１、２、３又は４記載の通信装置。
【請求項６】
前記回線接続電圧情報は、前記主制御部が、前記保守センターとの間で前記電話回線を接続する指示を前記網制御部に出力した後に、前記保守センターとの間で前記サービスモード通信が成立するタイミングで前記網制御部が測定した前記測定結果である、ことを特徴とする請求項１、２、３、４又は５記載の通信装置。
【請求項７】
サービスモード通信指示を受けた場合、所定の通信装置を示す保守センターとの間で電話回線を接続してサービスモード通信が成立したとき測定した測定結果を回線接続電圧情報として格納し、
ファクシミリ通信指示を受けた場合、通信相手装置との間で前記電話回線を接続して前記ファクシミリ通信を行う前後の回線閉結時ならびに回線開放時に測定した電話回線の直流電圧と前記回線接続電圧情報との照合を行い、回線交換動作における回線の閉結もしくは開放状態を判定する
ことを特徴とする通信装置の制御方法。
【請求項８】
前記電話回線の直流電圧が前記回線接続電圧情報と略同じであった場合に、前記電話回線が使用されていると判定し、前記電話回線の直流電圧が前記回線接続電圧情報と略同じでなかった場合に、前記電話回線が未使用であると判定する、ことを特徴とする請求項７記載の通信装置の制御方法。
【請求項９】
前記電話回線を接続し、接続した後に測定した前記と前記回線接続電圧情報とが、略同じであった場合に前記ファクシミリ通信を行う、ことを特徴とする請求項８記載の通信装置の制御方法。
【請求項１０】
前記ファクシミリ通信を終了した後に前記電話回線を開放する指示を出力し、前記電話回線の前記直流電圧と前記回線接続電圧情報とが略同じでなかった場合に、前記電話回線の開放が行われたと判断する、
ことを特徴とする請求項７、８又は９記載の通信装置の制御方法。
【発明の詳細な説明】
【技術分野】
【０００１】
本発明は、通信装置、及び通信装置の制御方法に関し、電話回線の状態を誤認識せずに正しく通信することができる通信装置、及び通信装置の制御方法に関する。
【背景技術】
【０００２】
アナログ電話回線の直流ループを監視し、直流ループが検出されなかった場合に、この電話回線が他の電話装置等の通話等に使用されていないとしてファクシミリ通信を開始するファクシミリ装置が普及している。
【０００３】
直流ループを監視し、電話回線の未使用を確認後この電話回線を使用するようにしたファクシミリ装置の技術が特許文献１に開示されている。特許文献１に開示のファクシミリ装置は、図７に示すように、スキャナ、操作表示部、網制御部、通信制御部を有する。スキャナは、ファクシミリ送信する原稿を読み取る。操作表示部は、使用者の操作に基づいて、ファクシミリ送信の送信宛先の指定、ファクシミリ送信開始の指示等を入力する。網制御部は、加入者回線である電話回線を介して電話網に接続される。また、ローカル回線を介してＰＣに接続されている。加入者回線には電話網の加入者交換機から４８Ｖの直流電圧が供給されている。網制御部は、電話回線の直流ループの検出を行う。通信制御部は、電話回線の直流ループの検出／未検出に基づいて、電話回線の開放／閉結を判断し、電話回線が開放の場合にファクシミリ送信処理を開始する。
【０００４】
ここで、使用者の操作に基づいて、スキャナに原稿がセットされ操作表示部を介して送信宛先が指定されファクシミリ送信開始が指示されると、通信制御部がこれを検知する。そして、通信制御部は、網制御部が電話回線の直流ループを検出した場合には、電話回線が閉結状態であると判断し、すなわち、電話回線がＰＣにより使用されていると判断し、ファクシミリ送信処理を行わない。また、通信制御部は、網制御部が電話回線の直流ループを検出しなかった場合には、電話回線が開放状態であると判断し、すなわち、電話回線がＰＣにより使用されていないと判断し、ファクシミリ送信処理を行う。
【０００５】
すなわち、特許文献１に開示のファクシミリ装置は、電話回線の直流ループの検出／未検出に基づいて、電話回線の開放／閉結を判断し、電話回線が開放の場合にファクシミリ送信処理を開始している。一方、この直流ループ（電流ループ）は、通常、発光ダイオードとフォトトランジスタの組を備えたフォトカプラにより検出している。すなわち、電話回線に発光ダイオードを挿入し、直流ループがあるときに発光ダイオードの発光をフォトトランジスタで検出することにより、直流ループを検出している。
【０００６】
このように、特許文献１に開示のファクシミリ装置は、電話回線の開放／閉結を電話回線の直流ループの検出／未検出に基づいて判断するために、フォトカプラが必要になる。このため、フォトカプラならびにフォトカプラの駆動回路等のファクシミリ装置への組み込み、フォトカプラの接続異常の管理、保守等のためにファクシミリ装置のコストアップにつながる。
【０００７】
このコストを低減するために、現在、電話回線の開放を検出し電話回線に接続して通信する際に、ダイレクトアクセスアレンジメント（データアクセスアレンジメント：ＤＡＡ：ｄａｔａ  ａｃｃｅｓｓ  ａｒｒａｎｇｅｍｅｎｔ）と呼ばれる集積回路（ＩＣ：ｉｎｔｅｇｒａｔｅｄ  ｃｉｒｃｕｉｔ）をファクシミリ装置に使用するのが一般的になっている。このＤＡＡは、電話回線の直流電圧を検出する電圧検出回路、電話回線の開放／閉結を行う開放接続回路、通信データ等を変調したモデム信号を電話回線に流す回路等を集積化したものである。電話回線の直流電圧とは、電話回線に例えば電話局で印加されて供給され、電話機等のこの電話回線を使用する側に到達した直流電圧である。このＤＡＡを使用することにより、ファクシミリ装置のコスト低減や品質の向上が図られている。このため、ファクシミリ装置において、電話回線の開放／閉結を、ＤＡＡの電圧検出回路を使用して電話回線の直流電圧を測定することにより判断する方法が、現在、一般的になっている。
【０００８】
このＤＡＡの電圧検出回路を使用して電話回線の開放／閉結を判断する方法を、特許文献１に開示のファクシミリ装置に適用した方法が、以下のように現在一般的になっている。すなわち、ＤＡＡを使用した網制御部が、電話網の加入者交換機から電話回線に供給されている所定の直流電圧（例えば、４８Ｖ）を測定する。そして、電話回線に供給されている所定の直流電圧の例えば半分（２５Ｖ）を閾値とし、通信制御部が、この測定結果とこの閾値とを比較し、測定結果がこの閾値以上の場合、電話回線が開放状態であると判断する。そして、この電話回線が他の電話装置等の通話等に使用されていないと判断して、ファクシミリ送信処理を受け付ける。
【先行技術文献】
【特許文献】
【０００９】
【特許文献１】特開２０００―１５１８４５号公報
【発明の概要】
【発明が解決しようとする課題】
【００１０】
上述のように、現在一般的に行われている特許文献１に開示のファクシミリ装置にＤＡＡの電圧検出回路を適用した方法は、電話回線の直流電圧をＤＡＡの電圧検出回路により測定する。そして、この測定結果が、電話回線への供給電圧の例えば半分を示す閾値以上の場合、電話回線が開放状態である判断し、この電話回線が他の電話装置等の通話等に使用されていないと判断して、ファクシミリ送信を行うようにしている。
【００１１】
一方、近年、デジタル通信網、ひかり電話等が普及している。そして、この普及に伴い、ＮＴＴ（日本電信電話株式会社）等の電話局からのデジタル通信網やひかり網を例えばターミナルアダプタ端末、ゲートウエイ端末等でアナログの電話回線に変換してファクシミリ装置に接続するシステムが増加している。ターミナルアダプタ端末、ゲートウエイ端末等は回線交換動作（電話回線への給電と開放／閉結動作の受付）を行う端末である。電話局とファクシミリ装置との間に回線交換動作を行う端末が介在する場合には、これらの端末から所定の直流電圧（例えば、４８Ｖ）がアナログの電話回線に供給されている。そして、これらターミナルアダプタ端末、ゲートウエイ端末等が回線交換動作を行う際に、電話回線にノイズや電圧が不定になる不定電圧区間が発生する場合がある。
【００１２】
回線交換動作時に電話回線にノイズや不定電圧が発生した場合に、上述した、電話回線の直流電圧の測定結果により電話回線の開放／閉結を判断する方法によると、次のような問題が発生する。すなわち、この方法によると、電話回線への供給電圧の例えば半分（２５Ｖ）を示す閾値により、電話回線の開放／閉結を判断している。このため、回線交換動作時にノイズや不定電圧が発生した場合に、電話回線の直流電圧にこのノイズや不定電圧がのり、回線を閉結した後の電圧が下っていない、回線を開放した後の電圧が上がっていないといった電話回線の状態（開放又は閉結）を誤認識する問題がある。また、ノイズや不定電圧の影響を受け正しく通信できなくなる問題がある。
【００１３】
本発明の目的は、上記課題を解決して、電話局とファクシミリ装置を含む通信装置との間に回線交換動作を行う端末等が接続されていても、電話回線の状態を誤認識せずに正しく通信することができる通信装置、及び通信装置の制御方法を提供することである。
【課題を解決するための手段】
【００１４】
本発明の通信装置は、操作者の操作に基づき、前記所定の通信装置を示す保守センターとの保守関連の通信を示すサービスモード通信を行う指示を出力し、ファクシミリ通信を行う指示を出力する操作部と、収容している電話回線の直流電圧を測定して測定結果を出力し、所定の通信装置との間で前記電話回線を接続して通信を行い、通信相手装置との間で前記電話回線を接続して通信を行い、前記指示に基づき、前記保守センターとの間で前記電話回線を接続して通信を行い、前記指示に基づき、前記通信相手装置との間で前記電話回線を接続して通信を行う網制御部と、前記操作部から前記サービスモード通信指示を受けた場合、前記保守センターとの間で前記電話回線を接続する指示を前記網制御部に出力し、前記網制御部を介して前記サービスモード通信が成立したときに測定した前記測定結果を前記網制御部から受けて回線接続電圧情報として格納し、前記操作部から前記ファクシミリ通信指示を受けた場合、前記通信相手装置との間で前記電話回線を接続する指示を前記網制御部に出力し、前記網制御部を介して前記ファクシミリ通信を行う前後の回線閉結時ならびに回線開放時に前記網制御部が測定した電話回線の直流電圧と前記回線接続電圧情報との照合を行い、回線交換動作における回線の閉結もしくは開放状態を判定する主制御部と、を備えている。
【００１５】
本発明の通信装置の制御方法は、サービスモード通信指示を受けた場合、所定の通信装置を示す保守センターとの間で電話回線を接続してサービスモード通信が成立したとき測定した測定結果を回線接続電圧情報として格納し、前記電話回線の直流電圧の測定結果と前記格納した前記回線接続電圧情報との照合結果に基づき、定期的に前記電話回線の使用状況を判定し、ファクシミリ通信指示を受けた場合、通信相手装置との間で前記電話回線を接続し、ファクシミリ通信に係る前後の回線交換動作において電話回線の直流電圧と前記回線接続電圧情報との照合を行い、この照合結果に基づき回線の閉結もしくは開放状態を判定し前記ファクシミリ通信を行うようにしている。
【発明の効果】
【００１６】
本発明によれば、電話回線の状態を誤認識せずに正しく通信することができる通信装置、及び通信装置の制御方法を提供することができる。
【図面の簡単な説明】
【００１７】
【図１】本発明の実施の形態に係る通信装置の一例を示す図である。
【図２】本発明の実施の形態に係る通信装置の動作の一例を示すフローチャートである。
【図３】本発明の実施の形態に係る通信装置の動作のうちのサービスモード通信処理の一例を示すフローチャートである。
【図４】本発明の実施の形態に係る通信装置の動作のうちのファクシミリ通信処理の一例を示すフローチャートである。
【図５】本発明の実施の形態に係る通信装置と電話局との間に回線交換動作を行う端末等が接続されているときの、本通信装置がサービスモード通信動作を行う折に本通信装置が収容する電話回線の直流電圧の時間変化の一例を示す図である。
【図６】本発明の実施の形態に係る通信装置と電話局との間に回線交換動作を行う端末等が接続されているときの、本通信装置がファクシミリ通信動作を行う折に本通信装置が収容する電話回線の直流電圧の時間変化の他の例一例を示す図である。
【図７】関連技術におけるファクシミリ装置の一例を示す図である。
【発明を実施するための形態】
【００１８】
次に、本発明の実施の形態について図面を参照して説明する。
【００１９】
図１は、本発明の実施の形態に係る通信装置の一例を示す図である。
【００２０】
本実施の形態に係る通信装置４（ファクシミリ装置６）は、網制御部９と、操作部８と、主制御部７とにより構成される。ファクシミリ装置６は、ターミナルアダプタ端末、ゲートウエイ端末等の回線交換動作（電話回線への給電と開放／閉結動作の受付）を行う端末を介して電話局に接続される。すなわち、これらの端末は、電話局からのデジタル通信網やひかり網をアナログの電話回線に変換してファクシミリ装置６に接続する回線交換動作を行う端末である。電話局とファクシミリ装置６との間に回線交換動作を行うターミナルアダプタ端末、ゲートウエイ端末等が介在する場合には、これらの端末から所定の直流電圧（例えば、４８Ｖ）が供給されている。
【００２１】
網制御部９は、電話回線５を収容し、この収容している電話回線５の直流電圧を、例えば、周期的に測定して測定結果を出力する。そして、操作部８が出力した指示に基づき、保守センター等との間で電話回線５を接続して保守センター等と通信を行う。また、指示に基づき、他のファクシミリ装置等の通信相手装置との間で電話回線５を接続して通信相手装置と通信を行う。
【００２２】
操作部８は、操作者の操作に基づき、自身のファクシミリ装置６を保守する保守センター等との保守関連の通信を示すサービスモード通信を行う指示を出力する。また、操作者の操作に基づき、ファクシミリ通信を行う指示を出力する。サービスモード通信とは、ファクシミリ装置６の設置、保守、運用等のために保守情報を保守センターへ伝送するための通信であり、サービスマン等の保守担当者が利用しうるサービスモードに設けている。サービスモードへは、サービスマン等の保守担当者が操作部８に対し所定の操作を行うことにより入ることができる。所定の操作とは、本ファクシミリ装置６のユーザがファクシミリ送信等を行う場合の通常の操作とは異なる、特殊な操作である。サービスモード通信は、ファクシミリ装置６の調整、故障診断、利用状況の収集(消耗品交換の見通し等)等に使用する。また、ファクシミリ通信とは、本ファクシミリ装置６のユーザが原稿等のファクシミリ送信等を行う場合の通常の通信である。
【００２３】
そして、主制御部７は、操作部８からサービスモード通信指示を受けた場合、保守センターとの間で電話回線５を接続する指示を網制御部９に出力し、網制御部９を介してサービスモード通信を開始する。そして、サービスモード通信の成立を、例えば、保守情報のデータ通信が執り行われることで判断し、サービスモード通信の成立時に測定した測定結果を網制御部９から受けて回線接続電圧情報として格納部（不図示）に格納する。この回線接続電圧情報は、サービスモード通信が成立し保守情報のデータ通信が執り行われているときの、すなわち、電話回線５が使用されているときの電話回線５の直流電圧値である。サービスモード通信が執り行われサービスモードを終了した後、主制御部７は格納した回線接続電圧情報を閾値に利用する。すなわち、周期的に網制御部９が測定した回線の直流電圧と格納した回線接続電圧情報を照合することで回線が使用中であるか否かを判定し、未使用中はファクシミリ通信の受付を可能とする。
【００２４】
そして、操作部８からファクシミリ通信指示を受けた場合、主制御部７はファクシミリ通信の前後にて網制御部９が測定した電話回線５の直流電圧の測定結果を網制御部９から受ける。そして、この測定結果と、回線接続電圧情報とをその都度照合する。この照合結果に基づき、主制御部７は電話回線５が閉結状態にあるか開放状態にあるかを判定し通信を行う。
【００２５】
次に、本実施の形態に係る通信装置の動作を図２、図３、図４、図５及び図６を参照して説明する。
【００２６】
図２は、本実施の形態に係る通信装置の動作の一例を示すフローチャートである。
【００２７】
図３は、本実施の形態に係る通信装置の動作のうちのサービスモード通信処理の一例を示すフローチャートである。
【００２８】
図４は、本実施の形態に係る通信装置の動作のうちのファクシミリ通信処理の一例を示すフローチャートである。
【００２９】
図５は、本実施の形態に係る通信装置と電話局との間に回線交換動作を行う端末等が接続されているときの、本通信装置がサービスモード通信動作を行う折に本通信装置が収容する電話回線の直流電圧の時間変化の一例を示す図である。本図は、主制御部７がサービスモード通信を行う指示を受けてから、網制御部９が電話回線５を接続し、その後、網制御部９により電話回線５が開放されるまでの、電話回線５の直流電圧の時間変化を示している。
【００３０】
電話回線５に、本ファクシミリ装置６や、本ファクシミリ装置６以外の例えば他の電話機等の電話端末装置が未接続の場合の電話回線５の直流電圧は、所定の第一の電圧である。主制御部７がサービスモード通信を行う指示を受けて網制御部９が電話回線５を接続し、サービスモード通信を開始するときの電話回線５の直流電圧は、第二の電圧（不定の電圧）である。この第二の電圧の発生する区間を不定電圧発生区間として記載してある。この第二の電圧（不定の電圧）は、網制御部９が電話回線５を接続したときに、本ファクシミリ装置６と電話局との間にある回線交換動作を行う端末が、回線交換動作を行うことにより発生する。サービスモード通信成立中の電話回線５の直流電圧は、所定の第三の電圧（回線接続電圧）である。このとき、電話回線５を介して正常な通信がなされる。そして、網制御部９により電話回線５が開放されると、第二の電圧（不定の電圧）になる。この第二の電圧（不定の電圧）も、回線交換動作を行う端末が、回線交換動作を行うことにより発生する。そして、所定時間経過後、所定の第一の電圧となる。所定の第一の電圧、及び所定の第三の電圧は、ファクシミリ装置６と電話局との間に接続する回線交換動作を行う端末によりそれぞれ異なりこの端末に基づいて適宜定められている。
【００３１】
図６は、本実施の形態に係る通信装置と電話局との間に回線交換動作を行う端末等が接続されているときの、本通信装置がファクシミリ通信動作を行う折に本通信装置が収容する電話回線の直流電圧の時間変化の一例を示す図である。本図は、主制御部７がファクシミリ通信を行う指示を受けてから、網制御部９が電話回線５を接続し、その後、網制御部９により電話回線５が開放されるまでの、電話回線５の直流電圧の時間変化を示している。
【００３２】
電話回線５に、本ファクシミリ装置６や、本ファクシミリ装置６以外の例えば他の電話機等の電話端末装置が未接続の場合の電話回線５の直流電圧は、所定の第一の電圧である。主制御部７がファクシミリ通信を行う指示を受けて網制御部９が電話回線５を接続したときの電話回線５の直流電圧は、第二の電圧（不定の電圧）である。この第二の電圧の発生する区間を不定電圧発生区間として記載してある。この第二の電圧（不定の電圧）も、回線交換動作を行う端末が、回線交換動作を行うことにより発生する。ファクシミリ送信開始後の電話回線５の直流電圧は、所定の第三の電圧（回線接続電圧）である。そして、ファクシミリ送信が終了し、網制御部９により電話回線５が開放されると、第二の電圧（不定の電圧）になる。この第二の電圧（不定の電圧）も、回線交換動作を行う端末が、回線交換動作を行うことにより発生する。そして、所定時間経過後、所定の第一の電圧となる。
【００３３】
ここで、図２、図３及び図４の各フローチャートを使用してファクシミリ装置６の動作を説明する。
【００３４】
図２のステップＳ１では、主制御部７は、操作部８からサービスモード通信指示を受けたか否かを調べる。すなわち、操作者が、操作部８への特殊な操作（例えば、同時に所定の複数のボタンを押す等）を行うことにより、サービスモードへの移行の指示を行ったか否かを調べる。操作部８は、操作部８へのこの特殊な操作により、サービスモード通信指示を主制御部７に出力する。この特殊な操作は、通常、サービスマン等の保守担当者が行う。サービスモード通信指示を受けていない場合には、ステップＳ２へ進む。サービスモード通信指示を受けた場合には、図３で示すサービスモード通信処理へ進む。そして、サービスモード通信処理の終了でステップＳ１へ戻る。
【００３５】
最初は、本ファクシミリ装置６がユーザの所に設置されるときに、サービスマン等の保守担当者が、このファクシミリ装置６の製造番号、各種設定値情報、消耗品情報などの保守情報を本ファクシミリ装置６を介して保守センターのサーバーに登録する。保守担当者は、保守情報を保守センターに登録するときに、操作部８へこの特殊な操作を行いサービスモードへ移行する。したがって、最初は、主制御部７は、操作部８からサービスモード通信指示を受け、図３で示すサービスモード通信処理へ進む。
【００３６】
図２のステップＳ２では、主制御部７は、回線状態を監視し、回線が未接続であるか否かを調べる。すなわち、網制御部９が測定した電話回線５の直流電圧の測定結果（回線電圧情報）を網制御部９から受け、この回線電圧情報が、図３で示すサービスモード通信処理のステップＡ５で格納した回線接続電圧情報と略同じか否かを調べる。略同じである場合、回線が未接続であると判定し、略同じでない場合、回線が接続されていると判定する。回線が未接続の場合にはステップＳ３へ進む。回線が接続されている場合にはステップＳ１へ戻る。
【００３７】
図２のステップＳ３では、主制御部７は、操作部８が操作者のファクシミリ通信ボタンの押下を検出して出力したファクシミリ通信指示を受けたか否かを調べる。すなわち、主制御部７は、操作者が、ファクシミリ通信指示を示す、例えば、ファクシミリ通信ボタンを押下したか否かを調べる。ファクシミリ通信指示を受けていない場合には、ステップＳ１へ戻る。ファクシミリ通信指示を受けた場合には、図５で示すファクシミリ通信処理へ進む。そして、ファクシミリ通信処理の終了でステップＳ１へ戻る。このファクシミリ通信指示を受けたときは、例えば、本ファクシミリ装置６のユーザが、操作部８に対し、原稿等のファクシミリ送信等を行う通常の操作を行っているときである。
【００３８】
次に、サービスモード通信処理を説明する。
【００３９】
図３のステップＡ１では、主制御部７は、保守センターとの間で電話回線５を接続するために、電話回線５を接続する指示を網制御部９に出力する。
【００４０】
図３のステップＡ２では、網制御部９は、電話回線５を接続する指示を受け、例えば、電話回線５を接続するスイッチの接点を閉じる等により電話回線５を接続する。このときの電話回線５の直流電圧は、図６に示すように、第二の電圧（不定の電圧）である。この第二の電圧（不定の電圧）は、網制御部９が電話回線５を接続したときに、本ファクシミリ装置６と電話局との間にある回線交換動作を行う端末が、回線交換動作を行うことにより発生する。
【００４１】
図３のステップＡ３では、主制御部７は、各種保守情報を保守センターに登録するためのサービスモード画面を表示部（不図示）に表示する。そして、サービスモード画面と操作部８とを使用して操作者により入力された保守情報を、所定のプロトコルにより網制御部９を介して保守センターに登録するためのサービスモード通信を開始する。このときの電話回線５の直流電圧は、図６に示すように、第二の電圧（不定の電圧）である。所定のプロトコルとは、ファクシミリ装置６のメーカ各社独自の手順信号やデータフォーマットである。サービスモード通信はサービスマン等の保守担当者が装置を操作しているため例えば第二の電圧（不定の電圧）区間を避けつつ通信を成立させるような固有の対応が可能となる。
【００４２】
図３のステップＡ４では、主制御部７は、所定のプロトコルにより、サービスモード通信を開始したのち、例えば、保守情報が送信できるようになるまで、待機する。保守情報の送信ができるようになったか否かの判定は、例えば、保守情報の送信に対し、保守センターから受信確認信号等を受けたか否かによる。そして、サービスモード通信の正常通信終了を以て通信が成立したとして、ステップＡ５へ進む。
【００４３】
図３のステップＡ５では、主制御部７は、サービスモード通信成立後に網制御部９が測定した電話回線５の直流電圧の測定結果を、網制御部９から受け、この測定結果を回線接続電圧情報として格納部（不図示）に格納する。このときの電話回線５の直流電圧は、図６に示すように、所定の第三の電圧（回線接続電圧）であり、電話回線５を介して保守情報の正常な送信がなされる。
【００４４】
図３のステップＡ６では、主制御部７は、サービスモード通信の終了を確認して、電話回線５を開放する指示を網制御部９に出力する。サービスモード通信の終了は、例えば、保守センターから受信確認信号等を受けた後の規定された終了手順を以て執り行われる。
【００４５】
図３のステップＡ７では、網制御部９は、電話回線５を開放する指示を受け、例えば、電話回線５を接続するスイッチの接点を開ける等により電話回線５を開放し、本処理を終了する。
【００４６】
次に、ファクシミリ通信処理を説明する。
【００４７】
図４のステップＢ１では、主制御部７は、通信相手となる他のファクシミリ装置等の通信相手装置との間で電話回線５を接続するために、電話回線５を接続する指示を網制御部９に出力する。
【００４８】
図４のステップＢ２では、網制御部９は、電話回線５を接続する指示を受け、例えば、スイッチの接点を閉じる等により電話回線５を接続する。このときの電話回線５の直流電圧は、図６に示すように、第二の電圧（不定の電圧）である。この第二の電圧（不定の電圧）は、網制御部９が電話回線５を接続したときに、本ファクシミリ装置６と電話局との間にある回線交換動作を行う端末が、回線交換動作を行うことにより発生する。
【００４９】
図４のステップＢ３では、主制御部７は、網制御部９が電話回線５を接続した後に、網制御部９が測定した電話回線５の直流電圧の測定結果（回線電圧情報）を網制御部９から受ける。すなわち、この回線電圧情報は現在の電話回線５の直流電圧値である。
【００５０】
図４のステップＢ４では、主制御部７は、この回線電圧情報が図３のステップＡ５で格納した回線接続電圧情報と略同じか否かを調べる。調べた結果が略同じでなかった場合、ステップＢ３へ戻る。調べた結果が略同じであった場合、ステップＢ５に進む。このときの電話回線５の直流電圧は、図６に示すように、所定の第三の電圧である。このとき、主制御部７は、網制御部９が電話回線５を接続してから所定時間経過後に、網制御部９が測定した電話回線５の直流電圧の測定結果（回線電圧情報）を網制御部９から受けても良い。このようにすることによっても、網制御部９が電話回線５を接続したときに、本ファクシミリ装置６と電話局との間にある回線交換動作を行う端末が、回線交換動作を行うことにより発生する不定電圧区間やノイズ等を回避することができる。
【００５１】
図４のステップＢ５では、主制御部７は、例えば、スキャナ（不図示）により送信する原稿等を読み取り、この読み取った原稿等の画像データのファクシミリ送信を開始する。
【００５２】
図４のステップＢ６では、主制御部７は、例えば、ステップＢ５で開始した画像データのファクシミリ送信が終了したときに、電話回線５を開放する指示を網制御部９に出力する。
【００５３】
図４のステップＢ７では、網制御部９は、主制御部７から電話回線５を開放する指示を受け、例えば、スイッチの接点を開放する等により電話回線５を開放する。このときの電話回線５の直流電圧は、図６に示すように、第二の電圧（不定の電圧）である。この第二の電圧（不定の電圧）は、本ファクシミリ装置６と電話局との間にある回線交換動作を行う端末が、回線交換動作を行う過程で発生する。
【００５４】
図４のステップＢ８では、主制御部７は、網制御部９が電話回線５を開放した後に、網制御部９が測定した電話回線５の直流電圧の測定結果（回線電圧情報）を網制御部９から受ける。
【００５５】
図４のステップＢ９では、主制御部７は、この受けた回線電圧情報が図３のステップＡ５で格納した回線接続電圧情報と不一致（略同じでない）か否かを調べる。調べた結果が不一致でないことを示す場合、ステップＢ８へ戻る。調べた結果が不一致であることを示す場合、電話回線５の開放が行われたと判断して本処理を終了する。
【００５６】
このように、本実施の形態によれば、サービスモード通信が成立したときに測定した電話回線５の直流電圧の測定結果（回線接続電圧情報）を格納しておく。この回線接続電圧情報は、確実に通信ができており確実に電話回線５が使用されているときの電話回線５の直流電圧値である。そして、網制御部９が測定した電話回線５の直流電圧の測定結果（現在の電話回線５の直流電圧値）を取得し、この取得した現在の電話回線５の直流電圧値と、回線接続電圧情報とを比較する。この回線接続電圧情報は、確実に通信ができており確実に電話回線５が使用されているときの、電話回線５の直流電圧値である。そして、現在の電話回線５の直流電圧値と回線接続電圧情報とが略同じになったときに、ファクシミリ通信指示を受けて、画像データのファクシミリ送信を開始する。またファクシミリ送信終了後に電話回線５を開放した後にも網制御部９が測定した電話回線５の直流電圧の測定結果（現在の電話回線５の直流電圧値）を取得し、回線接続電圧情報との不一致を確認することで回線の開放状態を判定し一連の通信動作を終了する。
【００５７】
すなわち、本実施の形態によれば、網制御部９が電話回線５を接続したときに本ファクシミリ装置６と電話局との間にある回線交換動作を行う端末が発生する不定の電圧を回避する。そして、電話回線５が、確実に電話回線５が使用できるときの直流電圧値になったときに、画像データのファクシミリ送信を開始する。またファクシミリ送信終了後も回線交換動作を行う端末が発生する不定の電圧を同様に回避し、ファクシミリ装置６の誤動作を防止する。
【００５８】
このように、本実施の形態によれば、網制御部９が電話回線５を接続もしくは開放する折に回線電圧の照合を行い、更に、電話回線５の直流電圧が、確実に電話回線５が使用できるときの直流電圧値になる時点でファクシミリ通信を行うようにした。このため、本実施の形態によれば、電話局とファクシミリ装置との間に回線交換動作を行う端末等が接続されていても、電話回線の状態を誤認識せずに正しく通信を行うことができる。
【００５９】
上記の実施形態の一部または全部は、以下の付記のように記載され得るが、以下には限られない。
（付記１）
操作者の操作に基づき、前記所定の通信装置を示す保守センターとの保守関連の通信を示すサービスモード通信を行う指示を出力し、ファクシミリ通信を行う指示を出力する操作部と、
収容している電話回線の直流電圧を測定して測定結果を出力し、所定の通信装置との間で前記電話回線を接続して通信を行い、通信相手装置との間で前記電話回線を接続して通信を行い、前記指示に基づき、前記保守センターとの間で前記電話回線を接続して通信を行い、前記指示に基づき、前記通信相手装置との間で前記電話回線を接続して通信を行う網制御部と、
前記操作部から前記サービスモード通信指示を受けた場合、前記保守センターとの間で前記電話回線を接続する指示を前記網制御部に出力し、前記網制御部を介して前記サービスモード通信が成立したときに測定した前記測定結果を前記網制御部から受けて回線接続電圧情報として格納し、前記操作部から前記ファクシミリ通信指示を受けた場合、前記通信相手装置との間で前記電話回線を接続する指示を前記網制御部に出力し、前記網制御部を介して前記ファクシミリ通信を行う前後の回線閉結時ならびに回線開放時に前記網制御部が測定した電話回線の直流電圧と前記回線接続電圧情報との照合を行い、回線交換動作における回線の閉結もしくは開放状態を判定する主制御部と、を備えたことを特徴とする通信装置。
（付記２）
前記主制御部は、前記測定結果が前記回線接続電圧情報と略同じであった場合に、前記電話回線が使用されていると判定し、前記測定結果が前記回線接続電圧情報と略同じでなかった場合に、前記電話回線が未使用であると判定することを特徴とする付記１記載の通信装置。
（付記３）
前記主制御部は、前記電話回線を接続する指示を前記網制御部に出力した後に、前記網制御部が測定した前記測定結果を前記網制御部から受け、この受けた測定結果と前記回線接続電圧情報とが、略同じであった場合に、前記網制御部を介して前記ファクシミリ通信を行う、ことを特徴とする付記２記載の通信装置。
（付記４）
前記主制御部は、前記ファクシミリ通信を終了した後に前記電話回線を開放する指示を前記網制御部に出力し、前記網制御部から受けた前記電話回線の前記直流電圧と前記回線接続電圧情報とが略同じでなかった場合に、前記電話回線の開放が行われたと判断する、
ことを特徴とする付記１、２又は３記載の通信装置。
（付記５）
前記網制御部が収容する前記電話回線は、自身の通信装置以外に電話装置を含む他の通信装置も使用する、ことを特徴とする付記１、２、３又は４記載の通信装置。
（付記６）
前記回線接続電圧情報は、前記主制御部が、前記保守センターとの間で前記電話回線を接続する指示を前記網制御部に出力した後に、前記保守センターとの間で前記サービスモード通信が成立するタイミングで前記網制御部が測定した前記測定結果である、ことを特徴とする付記１、２、３、４又は５記載の通信装置。
（付記７）
サービスモード通信指示を受けた場合、所定の通信装置を示す保守センターとの間で電話回線を接続してサービスモード通信が成立したとき測定した測定結果を回線接続電圧情報として格納し、
ファクシミリ通信指示を受けた場合、通信相手装置との間で前記電話回線を接続して前記ファクシミリ通信を行う前後の回線閉結時ならびに回線開放時に前記網制御部が測定した電話回線の直流電圧と前記回線接続電圧情報との照合を行い、回線交換動作における回線の閉結もしくは開放状態を判定する
ことを特徴とする通信装置の制御方法。
（付記８）
前記電話回線の直流電圧が前記回線接続電圧情報と略同じであった場合に、前記電話回線が使用されていると判定し、前記電話回線の直流電圧が前記回線接続電圧情報と略同じでなかった場合に、前記電話回線が未使用であると判定する、ことを特徴とする付記７記載の通信装置の制御方法。
（付記９）
前記電話回線を接続し、接続した後に測定した前記と前記回線接続電圧情報とが、略同じであった場合に前記ファクシミリ通信を行う、ことを特徴とする付記８記載の通信装置の制御方法。
（付記１０）
前記ファクシミリ通信を終了した後に前記電話回線を開放する指示を出力し、前記電話回線の前記直流電圧と前記回線接続電圧情報とが略同じでなかった場合に、前記電話回線の開放が行われたと判断する、
ことを特徴とする付記７、８又は９記載の通信装置の制御方法。
（付記１１）
前記電話回線は、自身の通信装置以外に電話装置を含む他の通信装置も使用する、ことを特徴とする付記７、８、９又は１０記載の通信装置の制御方法。
（付記１２）
前記回線接続電圧情報は、前記保守センターとの間で前記電話回線が接続され前記サービスモード通信が成立するタイミングで測定した前記測定結果である、ことを特徴とする付記７、８、９、１０又は１１記載の通信装置の制御方法。
【符号の説明】
【００６０】
４  通信装置
５  電話回線
６  ファクシミリ装置
７  主制御部
９  網制御部
８  操作部
【図１】
0005918208.tif 000002
【図２】
0005918208.tif 000003
【図３】
0005918208.tif 000004
【図４】
0005918208.tif 000005
【図５】
0005918208.tif 000006
【図６】
0005918208.tif 000007
【図７】
0005918208.tif 000008